Podtech/llm-jp-corpus-v4-ja_patent huggingface dataset:
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
全方位画像を取得する画像取得手段と、
前記全方位画像が撮影された際の撮像装置の進行方向に関する情報を取得する進行方向取得手段と、
前記画像取得手段で取得した全方位画像を、前記進行方向取得手段で取得した進行方向に関する情報に基づいて、パノラマ展開した画像の左右方向の中央に、前記進行方向に対応する映像部分が位置するように、パノラマ展開の処理を行う処理手段とを有し、
前記処理手段は、動画である全方位画像の撮影中に進行方向が変わる場合、進行方向の変化に合わせてパノラマ展開の処理を行うこと特徴とする画像処理装置。
【請求項２】
前記処理手段は、全方位画像を撮影した撮像装置の前方と、当該撮像装置の進行方向が一致していない場合にも、進行方向に合わせてパノラマ展開の処理を行うことを特徴とする請求項１に記載の画像処理装置。
【請求項３】
前記処理手段は、撮像装置の進行方向がパノラマ展開した画像の中央となるように全方位画像における分割位置を設定することを特徴とする請求項１または２に記載の画像処理装置。
【請求項４】
前記分割位置は、撮像装置の進行方向後方であることを特徴とする請求項３に記載の画像処理装置。
【請求項５】
前記分割位置は、パノラマ展開した画像において、撮像装置の進行方向から左右に等しい距離の２箇所にあることを特徴とする請求項３または４に記載の画像処理装置。
【請求項６】
前記進行方向取得手段は、全方位画像に関連付けて記憶された属性情報から撮像装置の進行方向に関する情報を取得することを特徴とする請求項１乃至５のいずれか１項に記載の画像処理装置。
【請求項７】
前記進行方向取得手段は、全方位画像を解析して、全方位画像中の被写体の動きに基づいて撮像装置の進行方向に関する情報を取得することを特徴とする請求項１乃至５のいずれか１項に記載の画像処理装置。
【請求項８】
前記進行方向取得手段は、撮像装置に備えられた進行方向を検出するための検出手段により撮像装置の進行方向に関する情報を取得することを特徴とする請求項１乃至５のいずれか１項に記載の画像処理装置。
【請求項９】
前記全方位画像に関連した音声を取得する音声取得手段と、
前記音声取得手段により取得した音声を全方位画像のパノラマ展開範囲に合わせて音像定位の処理を行う音声処理手段とをさらに有することを特徴とする請求項１乃至８のいずれか１項に記載の画像処理装置。
【請求項１０】
前記音声処理手段は、撮像装置の進行方向の音像がパノラマ展開した画像を表示する表示手段の中央に位置するように音像定位の処理を行うことを特徴とする請求項９に記載の画像処理装置。
【請求項１１】
前記処理手段がパノラマ展開した画像を表示手段に表示するように制御する表示制御手段をさらに有することを特徴とする請求項１乃至１０のいずれか１項に記載の画像処理装置。
【請求項１２】
全方位画像を取得するステップと、
前記全方位画像が撮影された際の撮像装置の進行方向に関する情報を取得するステップと、
前記取得した全方位画像を、前記取得した進行方向に関する情報に基づいて、パノラマ展開した画像の左右方向の中央に、前記進行方向に対応する映像部分が位置するように、パノラマ展開の処理を行うステップとを有し、
前記処理を行うステップでは、動画である全方位画像の撮影中に進行方向が変わる場合、進行方向の変化に合わせてパノラマ展開の処理を行うこと特徴とする画像処理装置の制御方法。
【請求項１３】
コンピュータを、請求項１乃至１１のいずれか１項に記載された画像処理装置の各手段として機能させるためのプログラム。
【請求項１４】
コンピュータを、請求項１乃至１１のいずれか１項に記載された画像処理装置の各手段として機能させるためのプログラムを格納したコンピュータが読み取り可能な記憶媒体。
【手続補正２】
【補正対象書類名】明細書
【補正対象項目名】０００３
【補正方法】変更
【補正の内容】
【０００３】
このパノラマ展開の際の分割位置を決定する技術として、特許文献１には、適当な位置でパノラマ展開された画像に対して顔認識を行い、人物が分割位置と重なる場合には、改めて分割位置を決定し、パノラマ展開をやり直す技術が開示されている。
【手続補正３】
【補正対象書類名】明細書
【補正対象項目名】０００７
【補正方法】変更
【補正の内容】
【０００７】
前記の課題を解決するために、本発明の画像処理装置は、全方位画像を取得する画像取得手段と、前記全方位画像が撮影された際の撮像装置の進行方向に関する情報を取得する進行方向取得手段と、前記画像取得手段で取得した全方位画像を、前記進行方向取得手段で取得した進行方向に関する情報に基づいて、パノラマ展開した画像の左右方向の中央に、前記進行方向に対応する映像部分が位置するように、パノラマ展開の処理を行う処理手段とを有し、前記処理手段は、動画である全方位画像の撮影中に進行方向が変わる場合、進行方向の変化に合わせてパノラマ展開の処理を行う。
【手続補正４】
【補正対象書類名】明細書
【補正対象項目名】００２１
【補正方法】変更
【補正の内容】
【００２１】
図３（ｃ）は、図３（ｂ）に示すように、進行方向後方を分割位置３０２として画像３０１Ａをパノラマ展開して生成されるパノラマ画像３０１Ｂを示している。画像３０１Ｂの両端の位置３０２Ｌ、３０２Ｒは画像３０１Ａにおける分割位置３０２に対応する左右２箇所の位置を示している。位置３０３は全方位画像３０１Ａにおけるカメラ前方Ｆに対応する位置、位置３０４は画像３０１Ａにおける進行方向前方Ｍに対応する位置、位置３０５は画像３０１Ａにおけるカメラ後方Ｒに対応する位置をそれぞれ示している。矢印３１０は、静止している被写体が動画であるパノラマ画像３０１Ｂの映像中で時間の経過と共に移動していく方向（カメラ１００が移動しているため、映像中での静止した被写体の位置が相対的に移動することによる移動軌跡）を示している。このように全方位画像３０１Ａをパノラマ展開することにより、パノラマ画像３０１Ｂの映像中において、出現点が画像３０１Ｂの中央の位置３０４となり、消失点が画像３０１Ｂの中央の位置３０４から左右方向に等しい距離の位置３０２Ｌ、３０２Ｒとなる。すなわち、被写体は画像３０１Ｂの中央の無限遠方から現れ、左右に向けて弧の軌跡を描き、両端の２箇所から消えていく。このように全方位画像をパノラマ展開する際の分割位置３０２を進行方向後方の映像部分に設定することで、パノラマ画像３０１Ｂの映像中の被写体の移動軌跡が、図２（ｃ）に示した画像２０１Ｂのように途中の位置２０３で途切れることがなくなる。よって、パノラマ画像３０１Ｂの映像中で時間の経過と共に移動する被写体の動きを目で追う場合に、出現から消失まで視線を大きく移動する必要がなく、視認性が向上する。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
補助光源を用いて撮影された画像に対し、仮想光源の効果を付加する補正処理を適用する適用手段と、
前記補正処理を適用する画像を撮影するための前記補助光源の発光量および、前記補正処理に用いるパラメータを決定する決定手段と、を有し、
前記決定手段は、前記発光量と前記パラメータとを、前記補助光源を用いて撮影する被写体の陰影度合いに基づいて決定することを特徴とする撮像装置。
【請求項２】
前記決定手段は、前記補正処理で前記被写体に陰影が付加されるように前記パラメータを決定することを特徴とする請求項１記載の撮像装置。
【請求項３】
前記決定手段は、前記発光量と前記パラメータとを、前記補助光源を用いずに撮影された画像における前記被写体の陰影度合いに基づいて決定することを特徴とする請求項１に記載の撮像装置。
【請求項４】
前記決定手段は、前記補助光源を用いずに撮影された画像における前記被写体の領域の輝度情報に基づいて、前記陰影度合いを算出することを特徴とする請求項１に記載の撮像装置。
【請求項５】
前記決定手段は、前記被写体の陰影度合いが所定値以下であれば、前記補助光源の発光量を、前記被写体が適切な明るさとなるような通常の発光量に決定することを特徴とする請求項１に記載の撮像装置。
【請求項６】
前記決定手段は、前記被写体の陰影度合いが所定値以下であれば、前記補助光源を用いて撮影した画像の明るさを低減させた後、前記補正処理によって前記被写体の明るさを補正するように前記パラメータを決定することを特徴とする請求項５に記載の撮像装置。
【請求項７】
前記決定手段は、前記被写体の陰影度合いが所定値以下でなければ、前記補助光源の発光量を、前記被写体が適切な明るさとなるような通常の発光量よりも小さい発光量に決定することを特徴とする請求項１に記載の撮像装置。
【請求項８】
前記決定手段は、前記被写体の陰影度合いが所定値以下でなければ、前記補助光源を用いて撮影した画像の明るさを変更せずに、前記補正処理によって前記被写体の明るさを補正するように前記パラメータを決定することを特徴とする請求項７に記載の撮像装置。
【請求項９】
前記決定手段は、前記被写体の陰影度合いが所定値以下でなければ、前記パラメータのうち、前記補正処理に用いる仮想光源の位置を、環境光源と同じ方向で決定することを特徴とする請求項７に記載の撮像装置。
【請求項１０】
さらに、前記被写体および背景の距離情報を取得する取得手段を有し、
前記決定手段は、前記発光量と前記パラメータとを、前記距離情報に基づいて推定された陰影度合いに基づいて決定することを特徴とする請求項１に記載の撮像装置。
【請求項１１】
さらに、前記被写体および背景の距離情報を取得する取得手段を有し、
前記決定手段は、前記距離情報に基づいて、前記被写体の奥行きが閾値以下と判定されない場合には、前記陰影度合いが前記所定値以下でない場合と同様に前記パラメータを決定することを特徴とする請求項５に記載の撮像装置。
【請求項１２】
前記決定手段は、前記距離情報に基づいて、前記被写体と前記背景との距離の差が閾値以下と判定された場合には、前記陰影度合いが前記所定値以下でない場合と同様に前記パラメータを決定することを特徴とする請求項１１に記載の撮像装置。
【請求項１３】
前記決定手段は、前記距離情報に基づいて、前記被写体の奥行きが閾値以下と判定され、かつ前記被写体と前記背景との距離の差が閾値以下と判定されない場合には、前記陰影度合いが前記所定値以下である場合と同様に前記パラメータを決定することを特徴とする請求項１１に記載の撮像装置。
【請求項１４】
撮像装置で実行される方法であって、
補助光源を用いて撮影された画像に対し、仮想光源の効果を付加する補正処理を適用する適用工程と、
前記補正処理を適用する画像を撮影するための前記補助光源の発光量および、前記補正処理に用いるパラメータを決定する決定工程と、を有し、
前記決定工程においては、前記発光量と前記パラメータとを、前記補助光源を用いて撮影する被写体の陰影度合いに基づいて決定することを特徴とする方法。
【請求項１５】
撮像装置が備えるコンピュータに、請求項１４に記載の方法の各工程を実行させるためのプログラム。
【手続補正２】
【補正対象書類名】明細書
【補正対象項目名】発明の名称
【補正方法】変更
【補正の内容】
【発明の名称】撮像装置および撮像装置で実行される方法
【手続補正３】
【補正対象書類名】明細書
【補正対象項目名】０００１
【補正方法】変更
【補正の内容】
【０００１】
本発明は、撮像装置および撮像装置で実行される方法に関し、特には補助光源を用いて撮影された画像を取り扱い可能な撮像装置および撮像装置で実行される方法に関する。
【手続補正４】
【補正対象書類名】明細書
【補正対象項目名】０００６
【補正方法】変更
【補正の内容】
【０００６】
本発明はこのような従来技術の課題に鑑みてなされたもので、補助光源を利用した撮影で得られる画像における陰影を簡便な方法で適切に補正可能な撮像装置および撮像装置で実行される方法の提供を目的とする。
【手続補正５】
【補正対象書類名】明細書
【補正対象項目名】０００７
【補正方法】変更
【補正の内容】
【０００７】
上述の目的は、補助光源を用いて撮影された画像に対し、仮想光源の効果を付加する補正処理を適用する適用手段と、補正処理を適用する画像を撮影するための補助光源の発光量および、補正処理に用いるパラメータを決定する決定手段と、を有し、決定手段は、発光量とパラメータとを、補助光源を用いて撮影する被写体の陰影度合いに基づいて決定することを特徴とする撮像装置によって達成される。
【手続補正６】
【補正対象書類名】明細書
【補正対象項目名】０００８
【補正方法】変更
【補正の内容】
【０００８】
このような構成により本発明によれば、補助光源を利用した撮影で得られる画像における陰影を簡便な方法で適切に補正可能な撮像装置および撮像装置で実行される方法を提供できる。
【手続補正７】
【補正対象書類名】明細書
【補正対象項目名】００３６
【補正方法】変更
【補正の内容】
【００３６】
ＲＧＢ信号変換部３０１は入力された輝度信号（Ｙ）および色差信号（Ｂ−Ｙ，Ｒ−Ｙ）を、色信号（Ｒ，Ｇ，Ｂ）に変換し、デガンマ処理部３０２へ出力する。デガンマ処理部３０２は、色信号Ｒ，Ｇ，Ｂに対し、デガンマ処理（輝度ガンマ処理部２０４および色ガンマ処理部２０６で行ったガンマ補正処理の逆処理）を適用する。デガンマ処理部３０２は、デガンマ処理後の色信号Ｒｔ，Ｇｔ，Ｂｔを反射成分算出部３０４およびゲイン処理部３０５に出力する。
【手続補正８】
【補正対象書類名】明細書
【補正対象項目名】００５６
【補正方法】変更
【補正の内容】
【００５６】
Ｓ５０３でシステム制御部５０は、画像処理部１０５が画像メモリ１０６に出力した陰影情報のうち、顔領域の輝度ヒストグラム情報を解析し、被写体に生じている陰影度合いを算出する。陰影度合いとは、明部と暗部の分布が広がっている度合いを示す値であり、図６を用いて具体的に説明する。
【手続補正書】
【提出日】平成29年11月1日(2017.11.1)
【手続補正１】
【補正対象書類名】明細書
【補正対象項目名】０００７
【補正方法】変更
【補正の内容】
【０００７】
本発明に係る自動追尾装置は、パン動作およびチルト動作によって撮像方向を変えることが可能な撮像手段により撮像された映像から動体を検出する検出手段と、前記撮像手段のパン制御およびチルト制御を行う制御手段と、前記撮像手段に対して、前記パン制御および前記チルト制御の両方を行わない不感領域と、前記パン動作の移動量および前記チルト動作の移動量の一方を補正する補正領域とを設定する設定手段と、を備え、前記制御手段は、前記検出手段により検出された動体を捉え続けるように前記パン制御および前記チルト制御を行う際に、前記動体が前記不感領域の内部にあるときには前記パン制御および前記チルト制御を行わず、前記動体が前記補正領域の内部にあるときには移動量を補正する動作を行わないことを特徴とする。
【手続補正２】
【補正対象書類名】特許請求の範囲
【補正対象項目名】全文
【補正方法】変更
【補正の内容】
【特許請求の範囲】
【請求項１】
パン動作およびチルト動作によって撮像方向を変えることが可能な撮像手段により撮像された映像から動体を検出する検出手段と、
前記撮像手段のパン制御およびチルト制御を行う制御手段と、
前記撮像手段に対して、前記パン制御および前記チルト制御の両方を行わない不感領域と、前記パン動作の移動量および前記チルト動作の移動量の一方を補正する補正領域とを設定する設定手段と、を備え、
前記制御手段は、前記検出手段により検出された動体を捉え続けるように前記パン制御および前記チルト制御を行う際に、前記動体が前記不感領域の内部にあるときには前記パン制御および前記チルト制御を行わず、前記動体が前記補正領域の内部にあるときには移動量を補正する動作を行わないことを特徴とする自動追尾装置。
【請求項２】
パン動作およびチルト動作によって撮像方向を変えることが可能な撮像手段により撮像された映像から動体を検出する検出手段と、
前記撮像手段のパン制御およびチルト制御を行う制御手段と、
前記撮像手段が撮像した映像を表示する表示手段の表示画面上における、前記検出手段が検出した前記動体の大きさを算出する算出手段と、
前記撮像手段に対して、前記パン制御および前記チルト制御の両方を行わない不感領域を設定する設定手段と、
前記動体が前記不感領域の内部にいるために前記パン制御および前記チルト制御を行わなかった場合に前記動体が前記表示手段の表示画面からはみ出すか否かを判定する判定手段と、を備え、
前記制御手段は、前記検出手段により検出された動体を捉え続けるように前記パン制御および前記チルト制御を行う際に、前記動体が前記不感領域の内部にいるために前記パン制御および前記チルト制御を行わなかった場合に前記動体が前記表示画面からはみ出すと前記判定手段が判定した場合には、前記動体の中心が前記不感領域の内部にあるときでも前記パン制御および前記チルト制御を行うことを特徴とする自動追尾装置。
【請求項３】
前記算出手段は、前記動体を囲む外接矩形として前記動体の大きさを算出することを特徴とする請求項２に記載の自動追尾装置。
【請求項４】
前記設定手段は、前記撮像手段の姿勢に応じて前記不感領域および前記補正領域を設定することを特徴とする請求項１に記載の自動追尾装置。
【請求項５】
前記設定手段は、設定した前記不感領域および前記補正領域の大きさを前記撮像手段のズーム位置に応じて調整することを特徴とする請求項４に記載の自動追尾装置。
【請求項６】
前記設定手段は、前記撮像手段の姿勢に応じて前記不感領域を設定することを特徴とする請求項２又は３に記載の自動追尾装置。
【請求項７】
前記設定手段は、設定した前記不感領域の大きさを前記撮像手段のズーム位置に応じて調整することを特徴とする請求項６に記載の自動追尾装置。
【請求項８】
前記撮像手段の姿勢は、前記撮像手段のチルト位置であることを特徴とする請求項４乃至７のいずれか１項に記載の自動追尾装置。
【請求項９】
撮像方向を変えるパン動作およびチルト動作が可能な撮像手段により撮像される動体を、コンピュータによって前記撮像手段を制御することにより自動追尾する自動追尾方法であって、
前記撮像手段により撮像された映像から動体を検出する検出ステップと、
前記撮像手段に対して、前記パン動作および前記チルト動作の両方を行わない不感領域と、前記パン動作の移動量および前記チルト動作の移動量の一方を補正する補正領域とを設定する設定ステップと、
前記検出ステップで検出された動体を捉え続けるように前記撮像手段の前記パン動作および前記チルト動作を制御する制御ステップと、を有し、
前記制御ステップでは、前記動体の中心が前記不感領域の内部にあるときには前記パン動作および前記チルト動作を行わず、前記動体の中心が前記補正領域の内部にあるときには移動量を補正する動作を行わないことを特徴とする自動追尾方法。
【請求項１０】
請求項９に記載の自動追尾方法をコンピュータに実行させることを特徴とするプログラム。
【請求項１１】
パン動作およびチルト動作によって撮像方向を変えることが可能な撮像手段と、
前記撮像手段により撮像された映像から動体を検出する検出手段と、
前記撮像手段のパン制御およびチルト制御を行う制御手段と、
前記撮像手段に対して、前記パン制御および前記チルト制御の両方を行わない不感領域と、前記パン動作の移動量および前記チルト動作の移動量の一方を補正する補正領域とを設定する設定手段と、を備え、
前記制御手段は、前記検出手段により検出された動体を捉え続けるように前記パン制御および前記チルト制御を行う際に、前記動体が前記不感領域の内部にあるときには前記パン制御および前記チルト制御を行わず、前記動体が前記補正領域の内部にあるときには移動量を補正する動作を行わないことを特徴とする撮像装置。
【請求項１２】
前記検出手段、前記制御手段および前記設定手段を有する制御装置と前記撮像装置とは、ネットワークを介して通信可能に接続されていることを特徴とする請求項１１に記載の撮像装置。
【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
デュアルコネクティビティ機能を有するユーザ装置であって、
基地局との無線通信を制御する無線通信制御部と、
前記基地局に能力情報を通知する能力情報通知部と、
を有し、
前記能力情報通知部は、デュアルコネクティビティにおいて当該ユーザ装置がサポートする３つ以上のコンポーネントキャリアから構成されるコンポーネントキャリアの組み合わせに関する上位能力情報と、前記コンポーネントキャリアの組み合わせのサブセットに関する下位能力情報とを通知するユーザ装置。
【請求項２】
前記コンポーネントキャリアの組み合わせのサブセットは、前記３つ以上のコンポーネントキャリアから構成されるコンポーネントキャリアの組み合わせから、少なくとも１つのコンポーネントキャリアを排除することによって構成される、請求項１記載のユーザ装置。
【請求項３】
基地局によるデュアルコネクティビティ通信方法であって、
ユーザ装置から、デュアルコネクティビティにおいて前記ユーザ装置がサポートする３つ以上のコンポーネントキャリアから構成されるコンポーネントキャリアの組み合わせに関する上位能力情報と、前記コンポーネントキャリアの組み合わせのサブセットに関する下位能力情報を受信するステップと、
前記受信した上位能力情報及び下位能力情報に基づき、前記ユーザ装置に対してデュアルコネクティビティのためのスケジューリングを実行するステップと、
を有するデュアルコネクティビティ通信方法。
【請求項４】
前記コンポーネントキャリアの組み合わせのサブセットは、前記３つ以上のコンポーネントキャリアから構成されるコンポーネントキャリアの組み合わせから、少なくとも１つのコンポーネントキャリアを排除することによって構成される、請求項３記載の方法。
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
複数の話者毎の複数の発話区間を含む音声信号を電子機器の複数のスピーカから出力するための方法であって、
前記複数の話者毎の前記複数の発話区間を含む前記音声信号をメモリに記録し、
前記メモリから前記音声信号を再生する際に、前記複数の話者毎に発話区間を識別可能なように画面に表示し、
前記複数の話者毎の前記複数の発話区間のうち、第１話者による第１発話区間の第１音声を指定するための画面操作を受け取り、
前記複数のスピーカを用いて、前記指定された前記第１発話区間の前記第１音声を前記電子機器の第１方向から聞こえるように再生し、
前記複数のスピーカを用いて、前記指定がない前記第１発話区間以外の第２発話区間の第２音声を前記電子機器の前記第１方向とは異なる第２方向から聞こえるように再生する、方法。
【請求項２】
複数の話者毎の複数の発話区間を含む音声信号を出力する複数のスピーカと、
前記複数の話者毎の複数の発話区間を含む前記音声信号をメモリに記録し、前記メモリから前記音声信号を再生する際に、前記複数の話者毎に複数の発話区間を識別可能なように画面に表示し、前記複数の話者毎の前記複数の発話区間のうち、第１話者による第１発話区間の第１音声を指定するための画面操作を受け取り、前記複数のスピーカを用いて、前記指定された前記第１発話区間の前記第１音声を前記電子機器の第１方向から聞こえるように再生し、前記複数のスピーカを用いて、前記指定がない前記第１発話区間以外の第２発話区間の第２音声を前記電子機器の前記第１方向とは異なる第２方向から聞こえるように再生する処理手段とを備える、電子機器。
【請求項３】
前記処理手段は、前記第１発話区間の前記第１音声に基づいて前記複数のスピーカからそれぞれ再生出力される複数の音声が、前記電子機器に対向する前記第１方向以外の前記第２方向で強め合うように、前記複数の音声間に位相差を設ける、請求項２に記載の電子機器。
【請求項４】
前記処理手段は、前記第１話者とは異なる第２話者による前記第２発話区間の前記第２音声に基づいて前記複数のスピーカからそれぞれ再生出力される複数の音声が、前記第１音声が強め合う方向と異なる方向に強め合うように、前記複数の音声間に位相差を設ける、請求項２に記載の電子機器。
【請求項５】
前記処理手段は、前記第１話者による前記第１発話区間の前記第１音声に基づいて前記複数のスピーカからそれぞれ再生出力される複数の音声が強め合う方向と、前記第２話者による前記第２発話区間の前記第２音声に基づいて前記複数のスピーカからそれぞれ再生出力される複数の音声が強め合う方向とを、前記第１音声および前記第２音声に対応した前記音声信号の記録時における前記第１話者と前記第２話者との位置関係、またはユーザの前記画面操作に基づいて設定する、請求項４に記載の電子機器。
【請求項６】
前記複数のスピーカからそれぞれ再生出力される前記第１音声の音量と前記第２音声の音量とが異なる、請求項５に記載の電子機器。
【請求項７】
複数の話者毎の複数の発話区間を含む音声信号を電子機器の複数のスピーカから出力することをコンピュータに実行させるためのプログラムであって、
前記複数の話者毎の前記複数の発話区間を含む前記音声信号をメモリに記録し、
前記メモリから前記音声信号を再生する際に、前記複数の話者毎に発話区間を識別可能なように画面に表示し、
前記複数の話者毎の前記複数の発話区間のうち、第１話者による第１発話区間の第１音声を指定するための画面操作を受け取り、
前記複数のスピーカを用いて、前記指定された前記第１発話区間の前記第１音声を前記電子機器の第１方向から聞こえるように再生し、
前記複数のスピーカを用いて、前記指定がない前記第１発話区間以外の第２発話区間の第２音声を前記電子機器の前記第１方向とは異なる第２方向から聞こえるように再生することを前記コンピュータに実行させる、プログラム。
【請求項８】
前記第１発話区間の前記第１音声に基づいて前記複数のスピーカからそれぞれ出力される複数の音声が、前記電子機器に対向する前記第１方向以外の前記第２方向で強め合うように、前記複数の音声間に位相差が設けられている、請求項７に記載のプログラム。
【請求項９】
前記第１話者とは異なる第２話者による前記第２発話区間の前記第２音声に基づいて前記複数のスピーカからそれぞれ再生出力される複数の音声が、前記第１音声が強め合う方向と異なる方向に強め合うように、前記複数の音声間に位相差が設けられている、請求項８に記載のプログラム。
【請求項１０】
前記第１話者による前記第１発話区間の前記第１音声に基づいて前記複数のスピーカからそれぞれ再生出力される複数の音声が強め合う方向と、前記第２話者による前記第２発話区間の前記第２音声に基づいて前記複数のスピーカからそれぞれ再生出力される複数の音声が強め合う方向とを、前記第１音声および前記第２音声に対応した前記音声信号の記録時における前記第１話者と前記第２話者との位置関係、またはユーザの前記画面操作に基づいて設定することを前記コンピュータに実行させるための、請求項９に記載のプログラム。
【請求項１１】
前記複数のスピーカからそれぞれ再生出力される前記第１音声の音量と前記第２音声の音量とが異なる、請求項１０に記載のプログラム。
【手続補正２】
【補正対象書類名】明細書
【補正対象項目名】０００５
【補正方法】変更
【補正の内容】
【０００５】
実施形態による方法は、複数の話者毎の複数の発話区間を含む音声信号を電子機器の複数のスピーカから出力するための方法である。この方法は、前記複数の話者毎の前記複数の発話区間を含む前記音声信号をメモリに記録し、前記メモリから前記音声信号を再生する際に、前記複数の話者毎に発話区間を識別可能なように画面に表示し、前記複数の話者毎の前記複数の発話区間のうち、第１話者による第１発話区間の第１音声を指定するための画面操作を受け取り、前記複数のスピーカを用いて、前記指定された前記第１発話区間の前記第１音声を前記電子機器の第１方向から聞こえるように再生し、前記複数のスピーカを用いて、前記指定がない前記第１発話区間以外の第２発話区間の第２音声を前記電子機器の前記第１方向とは異なる第２方向から聞こえるように再生する。
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
シートを搬送する搬送手段と、前記搬送手段により搬送されてきたシートの画像を読み取る画像読取手段と、前記画像読取手段で読み取った画像情報を外部機器に送信する送信手段とを備えた画像読取装置において、
シートの少なくとも一部を加熱する加熱手段と、
前記画像読取手段で加熱前後の画像を読み取り、前記画像読取手段で読み取った加熱前後の画像情報に基づいて、加熱消色記録剤が使用されているか否かを判定する判定手段とを備えたことを特徴とする画像読取装置。
【請求項２】
請求項１に記載の画像読取装置において、
前記画像読取手段が読み取るシート面と反対側である裏面の画像を読み取る裏面画像読取手段を備え、
前記判定手段は、前記裏面画像読取手段で加熱前後のシート裏面の裏面画像を読み取り、前記裏面画像読取手段で読み取った加熱前後の裏面画像情報に基づいて、前記裏面に加熱消色記録剤が使用されているか否かを判定することを特徴とする画像読取装置。
【請求項３】
シートを搬送する搬送手段と、前記搬送手段により搬送されてきたシートの画像を読み取る画像読取手段と、前記画像読取手段で読み取った画像情報を外部機器に送信する送信手段とを備えた画像読取装置において、
シートの画像を読み取る第２画像読取手段と、
前記画像読取手段と前記第２画像読取手段との間に配置され、シートの少なくとも一部を加熱する加熱手段と、
前記画像読取手段および前記第２画像読取手段のうちの加熱手段よりもシート搬送方向上流側に配置された一方の画像読取手段で加熱前の画像を読み取り、前記加熱手段よりもシート搬送方向下流側に配置された他方の画像読取手段で加熱後の画像を読み取り、各画像読取手段で読み取った加熱前後の画像情報に基づいて、前記画像に加熱消色記録剤が使用されているか否かを判定する判定手段とを備えたことを特徴とする画像読取装置。
【請求項４】
請求項３に記載の画像読取装置において、
前記加熱手段よりもシート搬送方向上流側に配置され、一方の画像読取手段が読み取るシート面と反対側である裏面の加熱前画像を読み取る第３画像読取手段と、
前記加熱手段よりもシート搬送方向下流側に配置され、前記シートの裏面の加熱後画像を読み取る第４画像読取手段とを備え、
前記判定手段は、前記第３画像読取手段で読み取ったシート裏面の加熱前画像情報と、前記第４画像読取手段で読み取ったシート裏面の加熱後画像情報とに基づいて、シート裏面に加熱消色記録剤が使用されているか否かを判定することを特徴とする画像読取装置。
【請求項５】
請求項１乃至４いずれかに記載の画像読取装置において、
前記搬送手段は、前記判定手段により加熱消色記録剤が使用されていると判定されたシートと、加熱消色記録剤が使用されていないと判定されたシートとを区別して排出することを特徴とする画像読取装置。
【請求項６】
請求項５に記載の画像読取装置において、
前記搬送手段は、前記判定手段により加熱消色記録剤が使用されていると判定されたシートの排出先と、加熱消色記録剤が使用されていないと判定されたシートの排出先とを互いに異ならせることを特徴とする画像読取装置。
【請求項７】
請求項１乃至６いずれかに記載の画像読取装置において、
前記判定手段が判定した判定結果をユーザーに報知する報知手段を備えたことを特徴とする画像読取装置。
【請求項８】
請求項７に記載の画像読取装置において、
前記報知手段は、前記判定手段による判定結果、および／または、加熱消色記録剤使用箇所を表示する表示手段を有することを特徴とする画像読取装置。
【請求項９】
請求項７または８に記載の画像読取装置において、
前記報知手段は、前記判定手段が加熱消色記録剤が使用されていると判定したとき、音を発する発音手段を備えることを特徴とする画像読取装置。
【請求項１０】
請求項１乃至９いずれかに記載の画像読取装置において、
前記画像読取手段で読み取った加熱前後の画像情報を表示する表示手段を備えたことを特徴とする画像読取装置。
【請求項１１】
請求項１乃至１０いずれかに記載の画像読取装置において、
前記判定手段は、加熱前後の画像情報に基づいて、加熱前と加熱後とで画素値が変化した画素数を把握し、前記画素値が変化した画素数が閾値以上のとき、加熱消色記録剤が使用されていると判定することを特徴とする画像読取装置。
【請求項１２】
請求項１１に記載の画像読取装置において、
前記閾値をユーザーが設定する設定手段を備えることを特徴とする画像読取装置。
【請求項１３】
請求項１乃至１２いずれかに記載の画像読取装置において、
前記判定手段は、加熱前後の画像情報それぞれについて、色分解し、各色毎に加熱消色記録剤が使用されているか否かの判定を行うことを特徴とする画像読取装置。
【請求項１４】
請求項１乃至１３いずれかに記載の画像読取装置において、
前記判定手段は、前記シートの所定の範囲ついて、加熱消色記録剤が使用されているか否かの判定を行うことを特徴とする画像読取装置。
【請求項１５】
請求項１４に記載の画像読取装置において、
前記判定手段が、加熱消色記録剤が使用されているか否かの判定を行う範囲を、ユーザーが指定する判定範囲指定手段を備えることを特徴とする画像読取装置。
【請求項１６】
請求項１乃至１５いずれかに記載の画像読取装置において、
前記判定手段により加熱消色記録剤が使用されていると判定されたシートの加熱前の画像情報を保存する画像情報保存手段を備えたことを特徴とする画像読取装置。
【請求項１７】
原稿の画像を読み取る画像読取装置を備え、該画像読取装置で読み取られた画像情報に基づき、画像を形成する画像形成装置において、
上記画像読取装置として、請求項１乃至１６のいずれかに記載の画像読取装置を用いることを特徴とする画像形成装置。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
１つのサービスにおいてＭＭＴ方式による同一アセットタイプの複数のアセットを提示する受信装置であって、
受信した放送信号に含まれる１つのサービスにおいて複数の映像アセットが含まれる場合、前記複数の映像アセットの提示を行うかを確認した後で、前記提示を開始し、
前記複数の映像アセットは、コンポーネントタグ値が異なるアセットである
受信装置。
【請求項２】
前記アセットタイプが映像を示す映像アセットのうちコンポーネントタグ値が所定の値である第１の映像アセットと、前記アセットタイプが音声を示す音声アセットと、の組合せを選択し、
前記映像アセットのうちコンポーネントタグ値が前記所定の値とは異なるアセットを、第２の映像アセットとして選択し、
前記第１の映像アセットが提示されている場合に、前記第２の映像アセットを全画面提示させるボタンを提示する
請求項１に記載の受信装置。
【請求項３】
１つのサービスにおいてＭＭＴ方式による同一アセットタイプの複数のアセットを提示する受信装置における受信方法であって、
前記受信装置が、  
受信した放送信号に含まれる１つのサービスにおいて複数の映像アセットが含まれる場合、前記複数の映像アセットの提示を行うかを確認した後で、前記提示を開始する過程を有し、
前記複数の映像アセットは、コンポーネントタグ値が異なるアセットである
受信方法。
【請求項４】
受信装置のコンピュータに、
受信した放送信号に含まれる１つのサービスにおいて複数の映像アセットが含まれる場合、前記複数の映像アセットの提示を行うかを確認した後で、前記提示を開始する手順を実行させるためのプログラムであって、
前記複数の映像アセットは、コンポーネントタグ値が異なるアセットである
プログラム。
【手続補正２】
【補正対象書類名】明細書
【補正対象項目名】０００６
【補正方法】変更
【補正の内容】
【０００６】
本発明は、上記の課題を解決するためになされたものであり、本発明の一態様は、１つのサービスにおいてＭＭＴ方式による同一アセットタイプの複数のアセットを提示する受信装置であって、受信した放送信号に含まれる１つのサービスにおいて複数の映像アセットが含まれる場合、前記複数の映像アセットの提示を行うかを確認した後で、前記提示を開始し、前記複数の映像アセットは、コンポーネントタグ値が異なるアセットである受信装置である。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
ページ記述言語の描画コマンドで記述された、Ｎ（Ｎ＞１）ページを１枚のシートの１面に印刷するための第１の印刷データを外部装置から受信する受信手段と、
ページレイアウトを変更する所定の指示をユーザーから受け付ける受け付け手段と、
前記指示の受け付けにしたがって、前記受信された第１の印刷データを、前記ページ記述言語の描画コマンドで記述された、前記Ｎページそれぞれのページの拡大版をページごとに別々のシートに印刷するための第２の印刷データに変換する変換手段と、
前記変換された第２の印刷データに基づいて、印刷部に、前記Ｎページそれぞれのページの拡大版を、ページごとに別々のシートに印刷させる印刷制御手段と、
を有する印刷制御装置。
【請求項２】
前記第１の印刷データは、前記Ｎページのうちの第１のページに対して描画される第１の図形オブジェクトの描画コマンドと、前記Ｎページのうちの第２のページに対して描画される第２の図形オブジェクトの描画コマンドとを含み、
前記変換手段は、前記第１の図形オブジェクトの描画コマンドを、前記第１の図形オブジェクトの拡大版を描画するための描画コマンドに変換し、前記第２の図形オブジェクトの描画コマンドを、前記第２の図形オブジェクトの拡大版を描画するための描画コマンドに変換し、
前記第１の図形オブジェクトの拡大版は、前記第１のページの拡大版に含まれ、前記第２の図形オブジェクトの拡大版は、前記第２のページの拡大版に含まれることを特徴とする請求項１に記載の印刷制御装置。
【請求項３】
前記変換手段は、前記第１の印刷データに含まれる、図形オブジェクトを描画するための描画コマンドを、前記図形オブジェクトの拡大版を描画するための描画コマンドに変換し、
前記第２の印刷データは、前記拡大版を描画するための前記描画コマンドを含むことを特徴とする請求項１に記載の印刷制御装置。
【請求項４】
前記変換手段は、前記第１の印刷データに含まれる前記描画コマンドに指定される座標情報を書き換えることで、前記拡大版を描画するための前記描画コマンドを得ることを特徴とする請求項３に記載の印刷制御装置。
【請求項５】
前記変換手段は、
前記第１の印刷データに含まれる前記描画コマンドによって描画される前記図形オブジェクトを、当該図形オブジェクトの描画位置に基づいて、前記Ｎページのうちの何れか１つに分類し、当該図形オブジェクトに対して、当該図形オブジェクトが分類されたページに対応した拡大処理を行って、当該図形オブジェクトの前記拡大版を描画するための前記描画コマンドを得ることを特徴とする請求項３または４に記載の印刷制御装置。
【請求項６】
前記変換手段は、拡大変倍を伴う拡大処理を行い、前記分類されたページによっては並行移動も含む拡大処理を行うことを特徴とする請求項５に記載の印刷制御装置。
【請求項７】
前記別々のシートのそれぞれのサイズは、前記１枚のシートのサイズと等しいことを特徴とする請求項１乃至６の何れか１項に記載の印刷制御装置。
【請求項８】
前記Ｎページの拡大版の拡大率は、前記Ｎに基づくことを特徴とする請求項１乃至７の何れか１項に記載の印刷制御装置。
【請求項９】
前記受け付け手段は、前記第１の印刷データが受信された後で、ページレイアウトを変更する所定の指示をユーザーから受け付けることを特徴とする請求項１乃至８の何れか１項に記載の印刷制御装置。
【請求項１０】
前記第１の印刷データが受信された後、当該第１の印刷データの選択を前記ユーザーから受け付ける手段を有し、
前記受け付け手段は、前記選択の受け付け後、前記所定の指示を前記ユーザーから受け付けることを特徴とする請求項９に記載の印刷制御装置。
【請求項１１】
前記所定の指示は、前記Ｎページのそれぞれのページを、シートの別々の面に印刷する指示であることを特徴とする請求項１乃至１０の何れか１項に記載の印刷制御装置。
【請求項１２】
ページ記述言語の描画コマンドで記述された、Ｎ（Ｎ＞１）ページを１枚のシートの１面に印刷するための第１の印刷データを外部装置から受信する受信手段と、
ページレイアウトを変更する所定の指示をユーザーから受け付ける受け付け手段と、
前記指示の受け付けにしたがって、前記Ｎページのうちの１ページの前記第１の印刷データに基づいて、当該１ページの拡大版を、前記Ｎページの他のページの拡大版とは異なるシートに印刷するための印刷データを生成する生成手段と、
を有し、
前記生成手段は、前記１ページに含まれる図形オブジェクトの描画コマンドを、当該図形オブジェクトの拡大版を描画するための描画コマンドに変換し、当該変換された後の描画コマンドを前記印刷データに含めることを特徴とする印刷制御装置。
【請求項１３】
ページ記述言語の描画コマンドで記述された、Ｎ（Ｎ＞１）ページを１枚のシートの１面に印刷するための第１の印刷データを外部装置から受信する受信工程と、
ページレイアウトを変更する所定の指示をユーザーから受け付ける受け付け工程と、
前記指示の受け付けにしたがって、前記受信された第１の印刷データを、前記ページ記述言語の描画コマンドで記述された、前記Ｎページそれぞれのページの拡大版をページごとに別々のシートに印刷するための第２の印刷データに変換する変換工程と、
前記変換された第２の印刷データに基づいて、印刷部に、前記Ｎページそれぞれのページの拡大版を、ページごとに別々のシートに印刷させる印刷制御工程と、
を有する印刷制御方法。
【請求項１４】
請求項１乃至１２の何れか１項に記載の各手段としてコンピュータを機能させるためのプログラム。
【手続補正２】
【補正対象書類名】明細書
【補正対象項目名】発明の名称
【補正方法】変更
【補正の内容】
【発明の名称】印刷制御装置、印刷制御方法及びプログラム
【手続補正３】
【補正対象書類名】明細書
【補正対象項目名】０００１
【補正方法】変更
【補正の内容】
【０００１】
本発明は、印刷制御装置、印刷制御方法及びプログラムに関するものである。
【手続補正４】
【補正対象書類名】明細書
【補正対象項目名】０００９
【補正方法】変更
【補正の内容】
【０００９】
本発明は、ページ記述言語の描画コマンドで記述された、Ｎ（Ｎ＞１）ページを１枚のシートの１面に印刷するための第１の印刷データを外部装置から受信する受信手段と、ページレイアウトを変更する所定の指示をユーザーから受け付ける受け付け手段と、前記指示の受け付けにしたがって、前記受信された第１の印刷データを、前記ページ記述言語の描画コマンドで記述された、前記Ｎページそれぞれのページの拡大版をページごとに別々のシートに印刷するための第２の印刷データに変換する変換手段と、前記変換された第２の印刷データに基づいて、印刷部に、前記Ｎページそれぞれのページの拡大版を、ページごとに別々のシートに印刷させる印刷制御手段と、を有する印刷制御装置である。
【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
デジタルズームを用いて撮影した画像を記録する撮像装置であって、
前記デジタルズームに対する１回のズーム操作により、前記１回のズーム操作前の画角と同じサイズである第１の画角と、前記１回のズーム操作による操作量に基づいたサイズである第２の画角と、を設定する設定手段と、
前記設定手段により２つの画角が設定された状態で前記画像の撮影指示がなされた場合には、前記設定した２つ両方の画角で撮影した画像をそれぞれ記録する記録手段と、
を備えること特徴とする撮像装置。
【請求項２】
前記デジタルズームを用いて取得した前記第１の画角内の映像と前記第２の画角内の映像を１つの画面に表示する表示制御手段と、
前記デジタルズームに対する１回のズーム操作により、前記表示制御手段が表示する１つの画面の中で、前記設定した２つの画角の一方の画角内の映像が表示される領域を縮小し、かつ、前記設定した２つの画角の他方の画角内の映像が表示される領域を拡大するようにそれぞれの表示領域を調整する領域調整手段と、
をさらに備えること特徴とする請求項１に記載の撮像装置。
【請求項３】
テレ側への前記１回のズーム操作により、
前記領域調整手段は、前記表示制御手段が表示する１つの画面の中で、前記設定した前記第２の画角内の映像が表示される領域の方を縮小し、かつ、前記設定した前記第１の画角内の映像が表示される領域の方を拡大し、
前記領域調整手段は、前記第１の画角内の映像が前記第２の画角内の映像の周囲を表示するようにそれぞれの表示領域を調整し、
前記領域調整手段が調整した前記第２の画角内の映像と前記第１の画角内の映像との境界が識別可能に表示する境界表示手段と、
をさらに備えること特徴とする請求項２に記載の撮像装置。
【請求項４】
ワイド側への前記１回のズーム操作により、
前記領域調整手段は、前記表示制御手段が表示する１つの画面の中で、前記設定した前記第１の画角内の映像が表示される領域の方を縮小し、かつ、前記設定した前記第２の画角内の映像が表示される領域の方を拡大し、
前記領域調整手段は、前記第２の画角内の映像が前記第１の画角内の映像の周囲を表示するようにそれぞれの表示領域を調整し、
前記領域調整手段が調整した前記第１の画角内の映像と前記第２の画角内の映像との境界が識別可能に表示する境界表示手段と、
をさらに備えること特徴とする請求項２または請求項３に記載の撮像装置。
【請求項５】
前記領域調整手段が調整した前記境界の外側の映像から前記境界の内側の映像に、被写体が移動したか否かを判断する移動判断手段と、
前記移動判断手段により被写体が移動したと判断された場合に、前記移動した被写体を含む画角内の映像を前記１つの画面に全画面表示されるように制御する全画面表示制御手段と、
をさらに備えることを特徴とする請求項３または請求項４に記載の撮像装置。
【請求項６】
前記設定手段により２つの画角が設定された状態で前記画像の撮影指示がなされた場合には、前記記録手段が、前記設定した２つ両方の画角で、狭い方の画角で撮影した画像を記録すること特徴とする請求項１乃至請求項５のいずれか１項に記載の撮像装置。
【請求項７】
デジタルズームを用いて撮影した画像を記録する撮像装置の制御方法であって、
前記撮像装置の設定手段が、前記デジタルズームに対する１回のズーム操作により、前記１回のズーム操作前の画角と同じサイズである第１の画角と、前記１回のズーム操作による操作量に基づいたサイズである第２の画角と、を設定する設定工程と、
前記撮像装置の記録手段が、前記設定工程により２つの画角が設定された状態で前記画像の撮影指示がなされた場合には、前記設定した２つ両方の画角で撮影した画像をそれぞれ記録する記録工程と、
を含むこと特徴とする制御方法。
【請求項８】
デジタルズームを用いて撮影した画像を記録する撮像装置で読み取り実行可能なプログラムであって、
前記撮像装置を、
前記デジタルズームに対する１回のズーム操作により、前記１回のズーム操作前の画角と同じサイズである第１の画角と、前記１回のズーム操作による操作量に基づいたサイズである第２の画角と、を設定する設定手段と、
前記設定手段により２つの画角が設定された状態で前記画像の撮影指示がなされた場合には、前記設定した２つ両方の画角で撮影した画像をそれぞれ記録する記録手段と、
して機能させること特徴とするプログラム。
【手続補正２】
【補正対象書類名】明細書
【補正対象項目名】０００８
【補正方法】変更
【補正の内容】
【０００８】
本発明は、デジタルズームを用いて撮影した画像を記録する撮像装置であって、前記デジタルズームに対する１回のズーム操作により、前記１回のズーム操作前の画角と同じサイズである第１の画角と、前記１回のズーム操作による操作量に基づいたサイズである第２の画角と、を設定する設定手段と、前記設定手段により２つの画角が設定された状態で前記画像の撮影指示がなされた場合には、前記設定した２つ両方の画角で撮影した画像をそれぞれ記録する記録手段と、を備えること特徴とする。
【手続補正３】
【補正対象書類名】明細書
【補正対象項目名】００１３
【補正方法】変更
【補正の内容】
【００１３】
また、前記設定手段により２つの画角が設定された状態で前記画像の撮影指示がなされた場合には、前記記録手段が、前記設定した２つ両方の画角で、狭い方の画角で撮影した画像を記録すること特徴とする。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
画像を形成する画像形成部と、
画像を読み取る画像読取部と、
前記画像読取部にて原稿の画像を読み取り、前記読み取った画像を記録材に形成するように前記画像形成部および前記画像読取部の制御を行う制御手段と
を備え、
前記制御手段は、前記原稿の読み取りが完了した後に、前記画像形成部による前記原稿への追加の画像の形成が完了したか否かを判定し、
前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御することを特徴とする画像形成装置。
【請求項２】
前記追加の画像は、複写履歴に関する情報を含む画像であることを特徴とする請求項１に記載の画像形成装置。
【請求項３】
前記制御手段は、前記画像読取部にて読み取られた前記原稿の画像と、前記複写履歴に関する情報とに基づいて生成された画像を前記画像形成部に形成させるように制御することを特徴とする請求項２に記載の画像形成装置。
【請求項４】
前記原稿には、前記追加の画像を形成する際の情報を示すパターン画像が印刷されていることを特徴とする請求項１乃至３のいずれか一項に記載の画像形成装置。
【請求項５】
前記パターン画像には、前記追加の画像の形成を行う対象となる前記原稿のページ番号の情報が含まれることを特徴とする請求項４に記載の画像形成装置。
【請求項６】
前記制御手段は、前記ページ番号の情報にて設定された前記原稿のページに対して前記追加の画像の形成が完了したことに応じて、記録材への画像形成を開始させることを特徴とする請求項５に記載の画像形成装置。
【請求項７】
前記原稿に印刷されたパターン画像には、前記追加の画像を形成する際に用いられる文字のサイズの情報が含まれ、
前記制御手段は、前記文字のサイズの情報と、前記画像読取部にて読み取られた前記原稿の画像における余白領域とから、前記原稿において前記追加の画像の形成が可能な領域を特定することを特徴とする請求項４乃至６のいずれか一項に記載の画像形成装置。
【請求項８】
前記原稿に印刷されたパターン画像には、前記追加の画像の形成を実行可能な回数の上限を示す情報が含まれ、
前記制御手段は、前記追加の画像の形成を実行するたび実行した回数を更新して、新たなパターン画像を前記原稿に追記させ、
前記制御手段は更に、前記原稿に印刷されたパターン画像が示す情報と前記新たなパターン画像が示す情報とに基づいて、新たな追加の画像の形成が実行可能か否かを判定することを特徴とする請求項４乃至６のいずれか一項に記載の画像形成装置。
【請求項９】
前記制御手段は、前記原稿に前記追加の画像の形成が可能でないと判定した場合、新たな記録材に対して複写履歴に関する情報を印刷させ、当該印刷された新たな記録材を前記原稿に追加することを特徴とする請求項８に記載の画像形成装置。
【請求項１０】
前記パターン画像は、二次元バーコードであることを特徴とする請求項４乃至９のいずれか一項に記載の画像形成装置。
【請求項１１】
前記原稿の複写を行う際に、複写物に追記する情報を受け付ける設定手段を更に備えることを特徴とする請求項１乃至１０のいずれか一項に記載の画像形成装置。
【請求項１２】
前記画像形成装置は、前記画像形成部による記録材への画像形成を行う際に当該記録材を搬送する第一の搬送路と、前記画像読取部による原稿の画像読取を行う際に当該原稿を搬送する第二の搬送路と、
を備え、
前記第一の搬送路および前記第二の搬送路はそれぞれ、搬送する対象を他方の搬送路へと搬送できるように構成され、
前記制御手段は前記画像読取部および前記画像形成部の処理に応じて、前記第一および第二の搬送路における搬送を制御することを特徴とする請求項１乃至１１のいずれか一項に記載の画像形成装置。
【請求項１３】
前記追加の画像は、前記原稿への前記追加の画像を形成する回数の上限値を示す情報を含む画像であることを特徴とする請求項１に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関する。
【手続補正４】
【補正対象書類名】明細書
【補正対象項目名】０００６
【補正方法】変更
【補正の内容】
【０００６】
上記課題を解決するために本願発明は以下の構成を有する。すなわち、画像形成装置であって、画像を形成する画像形成部と、画像を読み取る画像読取部と、前記画像読取部にて原稿の画像を読み取り、前記読み取った画像を記録材に形成するように前記画像形成部および前記画像読取部の制御を行う制御手段とを備え、前記制御手段は、前記原稿の読み取りが完了した後に、前記画像形成部による前記原稿への追加の画像の形成が完了したか否かを判定し、前記原稿への前記追加の画像の形成が完了していない場合は、前記原稿を読み取った画像を形成しないように前記画像形成部を制御し、前記原稿への前記追加の画像の形成が完了している場合は、前記原稿を読み取った前記画像を形成するように前記画像形成部を制御する。